(57)【要約】【課題】  プローブが固定化されたマイクロアレイを収納するマイクロアレイ収納ホルダ、マイクロアレイ挿入治具、及び、マイクロアレイをマイクロアレイ収納ホルダへ収納する方法を提供する。【解決手段】  本発明のマイクロアレイ収納ホルダ１は、ホルダ本体２と、このホルダ本体の内側に設けられ複数のマイクロアレイ１８を収納するアレイ収納溝１２と、このアレイ収納溝に収納された複数のマイクロアレイを保持する収納蓋４及び窓蓋６と、を有し、上記ホルダ本体又は上記収納蓋及び窓蓋の少なくとも何れか一方に複数のマイクロアレイの各プローブを露出させる底面開口部１４又は収納蓋開口部４ｂ及び窓蓋開口部６ｂが設けられ、上記窓蓋が上記ホルダ本体に対し着脱可能であり、この窓蓋を取り外したとき上記マイクロアレイが挿入可能な窓１６が形成されるように構成されていることを特徴としている。【選択図】      図４
2005300291.tif 000002
【特許請求の範囲】
【請求項１】
プローブを固定化したマイクロアレイを収納するマイクロアレイ収納ホルダであって、
ホルダ本体と、
このホルダ本体の内側に設けられ複数のマイクロアレイを収納する収納部と、
この収納部に収納された複数のマイクロアレイを保持する蓋部と、を有し、
上記ホルダ本体又は上記蓋部の少なくとも何れか一方に複数のマイクロアレイの各プローブを露出させる露出用開口部が設けられ、
上記蓋部の少なくとも一部分が上記ホルダ本体に対し着脱可能であり、この蓋部の一部分を取り外したとき上記マイクロアレイが挿入可能な窓部が形成されるように構成されていることを特徴とするマイクロアレイ収納ホルダ。
【請求項２】
上記露出用開口部は、上記ホルダ本体及び上記蓋部の両方に形成されている請求項１記載のマイクロアレイ収納ホルダ。
【請求項３】
上記蓋部は、上記ホルダに固定され上記露出用開口部を備えた収納蓋部と、上記ホルダ本体に対して着脱可能で上記露出用開口部を備えた窓蓋部を有する請求項１又は２に記載のマイクロアレイ収納ホルダ。
【請求項４】
上記収納部は、上記複数のマイクロアレイが互いに接した状態で収納するように構成されている請求項１乃至３の何れか１項に記載のマイクロアレイ収納ホルダ。
【請求項５】
上記蓋部は、上記複数のマイクロアレイが上記収納部に収納された後にホルダ本体にピン手段により固定されている請求項１乃至４の何れか１項に記載のマイクロアレイ収納ホルダ。
【請求項６】
請求項１乃至５の何れか１項に記載のマイクロアレイ収納ホルダにマイクロアレイを挿入する際に使用するマイクロアレイ挿入治具であって、
蓋部の一部分を取り外して上記窓部が形成された上記マイクロアレイ収納ホルダを保持するベース部と、
上記マイクロアレイが所定の方向及び所定の面で通過する挿入用開口部を備えたゲート部と、を有し、
上記ベース部は、上記ゲート部の挿入用開口部が上記蓋部の窓部の真上に位置するように上記ゲート部及び上記マイクロアレイ収納ホルダを互いに位置決めする位置決め手段を備えていることを特徴とするマイクロアレイ挿入治具。
【請求項７】
上記マイクロアレイはその中心線からずれた位置に凹部又は凸部を備え、上記ゲート部の挿入用開口部は上記マイクロアレイの凹部又は凸部が通過可能な凸部又は凹部を備えている請求項６記載のマイクロアレイ挿入治具。
【請求項８】
上記ベース部は、上記マイクロアレイ収納ホルダを保持する窪み部を有し、上記位置決め手段は、上記ベース部及び上記ゲート部に設けられた位置決め用ピン手段である請求項
６又は７に記載のマイクロアレイ挿入治具。
【請求項９】
上記マイクロアレイを請求項１乃至５の何れか１項に記載のマイクロアレイ収納ホルダに請求項６乃至８の何れか１項に記載のマイクロアレイ挿入治具を用いて収納する収納方法であって、
上記ゲート部及び上記窓部が形成された上記マイクロアレイ収納ホルダを上記ベース部に位置決めする第１工程と、
上記マイクロアレイを上記ゲート部の挿入用開口部を経由して上記蓋部の窓部から上記上記収納部に落し込む第２工程と、
この落し込まれたマイクロアレイを上記収納部内の上記窓部から離れた位置まで移動させる第３工程と、
これらの第２工程と第３工程とを繰り返して行ない上記収納部に複数のマイクロアレイを収納し、その後、上記ゲート部を上記ベース部から取り外し、上記マイクロアレイ収納ホルダの上記窓部に上記窓蓋部を固定する第４工程と、を有することを特徴とするマイクロアレイをマイクロアレイ収納ホルダにマイクロアレイ挿入治具を用いて収納する収納方法。
【発明の詳細な説明】
【技術分野】
【０００１】
本発明は、プローブが固定化されたマイクロアレイを収納するマイクロアレイ収納ホルダ、マイクロアレイ挿入治具、及び、マイクロアレイをマイクロアレイ収納ホルダへ挿入する方法に関する。
【背景技術】
【０００２】
近年、多数遺伝子の一括発現解析等を行うツールとして、核酸等のプローブが固定されたマイクロアレイが知られている。マイクロアレイとしては、さまざまな形態物が知られている。例えば、表面を化学的又は物理的に修飾したガラスや樹脂等の平滑な基盤上にＰＣＲ等で調製した核酸プローブを固定化したマイクロアレイが知られている（例えば、非特許文献１参照）。また、本発明者らの一部も複数の中空繊維を集束し、各中空繊維に核酸を固定した後、中空繊維を横切断することにより得られるマイクロアレイを開発している（例えば、特許文献１参照）。前記マイクロアレイは、例えば核酸間のハイブリダイゼーション反応に基づき、ハイブリダイズした核酸を蛍光色素等で検出することにより発現解析、配列分析等をおこなうことを可能とする。
また、ハイブリダイゼーションに適したデバイスの開発も行われている、例えば、多種類の核酸がメンブレン上に配置固定されたマクロアレイについて、マクロアレイの高い透水性を利用して検体溶液を貫通流動させながらハイブリダイゼーション処理や洗浄処理を行う方法が知られている（例えば、特許文献２参照）。これらの方法では、マクロアレイの周縁を支持具によって支持することにより、マクロアレイの取り扱い性を向上させ、その支持具で保持されたマクロアレイを２対の容器ではさみ、マクロアレイと容器で構成された空間の一方から検体溶液を注入し、この検体溶液をマクロアレイの高い透水性を利用して貫通流動させながら各処理を行っている。
【０００３】
【非特許文献１】Ｓｃｉｅｎｃｅ２７０  ４６７−４７０（１９９５）
【特許文献１】特開２００１−１３３４５３号公報
【特許文献２】特開２００１−８３１５８号公報
【発明の開示】
【発明が解決しようとする課題】
【０００４】
上述のようにマイクロアレイを使用して遺伝子解析等を行う場合、同一検体試料を複数のマイクロアレイで検査を実施する場合がある。その場合、複数のマイクロアレイを一体化させて取り扱うことにより、使用する検体量も少なくてすみ、効率よく検査を実施することができる。しかし、複数のマイクロアレイを一体化させて取り扱うには、各マイクロアレイの方向や配列順を正確に合わせ、マイクロアレイを所定箇所に収納するか、或いは正確に把持する必要がある。よって、一体化した複数のマイクロアレイの取り扱いに適した用具や手法の開発が要請されていた。
そこで、本発明は、上述した従来技術からの要請を満たすためになされたものであり、複数のマイクロアレイを一体化させて検査を行う際、個々のマイクロアレイを予め定めた位置関係で容易に一体化させるためのマイクロアレイ収納ホルダ、マイクロアレイ挿入治具、及び、マイクロアレイをマイクロアレイ収納ホルダへ挿入する方法を提供することを目的としている。
【課題を解決するための手段】
【０００５】
上記の目的を達成するために、本発明の第１の発明は、プローブを固定化したマイクロアレイを収納するマイクロアレイ収納ホルダであって、ホルダ本体と、このホルダ本体の内側に設けられ複数のマイクロアレイを収納する収納部と、この収納部に収納された複数のマイクロアレイを保持する蓋部と、を有し、上記ホルダ本体又は上記蓋部の少なくとも何れか一方に複数のマイクロアレイの各プローブを露出させる露出用開口部が設けられ、上記蓋部の少なくとも一部分が上記ホルダ本体に対し着脱可能であり、この蓋部の一部分を取り外したとき上記マイクロアレイが挿入可能な窓部が形成されるように構成されていることを特徴としている。
このように構成された本発明の第１の発明においては、複数の個々のマイクロアレイに固定化されている生体関連物質のマイクロアレイ群内における位置が予め定めた位置関係になるように複数のマイクロアレイを容易に一体化させることができる。
また、本発明の第１の発明において、たとえば、収納するマイクロアレイが、プローブが固定化された高分子ゲルが充填された構造で、マイクロアレイの表裏にプローブが固定化された物質が露出している構造の場合、露出用開口部は、ホルダ本体及び蓋部の両方に形成されていることが好ましい。
さらに、本発明の第１の発明において、蓋部は、ホルダに固定され露出用開口部を備えた収納蓋部と、ホルダ本体に対して着脱可能で露出用開口部を備えた窓蓋部を有することが好ましい。
また、本発明の第１の発明において、複数のマイクロアレイが収納部に収納された後にホルダ本体にピン手段により固定されていることが好ましい。
【０００６】
また、本発明第２の発明は、本発明の第１の発明のマイクロアレイ収納ホルダにマイクロアレイを挿入する際に使用するマイクロアレイ挿入治具であって、蓋部の一部分を取り外して上記窓部が形成された上記マイクロアレイ収納ホルダを保持するベース部と、上記マイクロアレイが所定の方向及び所定の面で通過する挿入用開口部を備えたゲート部と、を有し、上記ベース部は、上記ゲート部の挿入用開口部が上記蓋部の窓部の真上に位置するように上記ゲート部及び上記マイクロアレイ収納ホルダを互いに位置決めする位置決め手段を備えていることを特徴としている。
このように構成された本発明の第２の発明においては、複数枚のマイクロアレイを所定の方向及び所定の面でマイクロアレイ収納ホルダ内に挿入し、個々のマイクロアレイに固定化されている生体関連物質のマイクロアレイ群内における位置が予め定めた位置関係になるように複数のマイクロアレイを容易に一体化させることができる。
また、本発明の第２の発明において、マイクロアレイはその中心線からずれた位置に凹部又は凸部を備え、ゲート部の挿入用開口部はマイクロアレイの凹部又は凸部が通過可能な凸部又は凹部を備えていることが好ましい。
さらに、本発明の第２の発明において、ベース部は、マイクロアレイ収納ホルダを保持する窪み部を有し、位置決め手段は、ベース部及びゲート部に設けられた位置決め用ピン手段であることが好ましい。
【０００７】
さらに、本発明の第３の発明は、マイクロアレイを本発明の第１の発明のマイクロアレイ収納ホルダに本発明の第２の発明のマイクロアレイ挿入治具を用いて収納する収納方法であって、上記ゲート部及び上記窓部が形成された上記マイクロアレイ収納ホルダを上記ベース部に位置決めする第１工程と、上記マイクロアレイを上記ゲート部の挿入用開口部を経由して上記蓋部の窓部から上記上記収納部に落し込む第２工程と、この落し込まれたマイクロアレイを上記収納部内の上記窓部から離れた位置まで移動させる第３工程と、これらの第２工程と第３工程とを繰り返して行ない上記収納部に複数のマイクロアレイを収納し、その後、上記ゲート部を上記ベース部から取り外し、上記マイクロアレイ収納ホルダの上記窓部に上記窓蓋部を固定する第４工程と、を有することを特徴としている。
【発明の効果】
【０００８】
本発明のマイクロアレイ収納ホルダ、及びマイクロアレイ挿入治具を用いることにより、複数枚のマイクロアレイを所定の向き及ぶ所定の面にしてマイクロアレイ収納ホルダ内に挿入し、容易且つ正確に収納して一体化させることができる。それにより、プローブが固定化された複数のマイクロアレイを用いたマイクロアレイ法を検体量も少なくてすみ、効率よく実施することができる。
【発明を実施するための最良の形態】
【０００９】
以下、添付図面を参照して、表裏にプローブが露出しているマイクロアレイを用いた場合における本発明のマイクロアレイ収納ホルダの実施形態について説明する。
図１は、本発明の一実施形態によるマイクロアレイ収納ホルダを示す分解斜視図である。図１に示すように、本実施形態のマイクロアレイ収納ホルダ１は、ホルダ本体２を備え、このホルダ本体２の内側に複数のマイクロアレイが収納されるようになっている。またホルダ本体２には収納蓋４と窓蓋６が取り付けられ、これらの収納蓋４と窓蓋６により、ホルダ本体２の内側に収容された複数のマイクロアレイが保持されるようになっている。
また、ホルダ本体２の内側には蓋収納溝８が設けられ、収納蓋４と窓蓋６がホルダ本体２に取り付けられる際に、収納蓋４と窓蓋６がこの蓋収納溝８に並んではまり込むようになっている。さらに、蓋収納溝８には、収納蓋４及び窓蓋６のそれぞれの底面に設けられた収納蓋ピン４ａ及び窓蓋ピン６ａを受け入れるピン孔１０が形成されており、これらのピン孔１０に各ピン４ａ，６ａが挿入されることにより、収納蓋４及び窓蓋６がホルダ本体２上に固定されるようになっている。
【００１０】
さらに、ホルダ本体２にはアレイ収納溝１２及び底面開口部１４が形成され、収納蓋４及び窓蓋６には、開口部４ｂ，６ｂがそれぞれ形成されている。収納蓋４及び窓蓋６が取り付けられたホルダ本体２のアレイ収納溝１２にマイクロアレイが収納された状態では、収納されたマイクロアレイに固定化されたプローブが、開口部４ｂ，６ｂ，１４によって収納ホルダ１の外部に露出するようになっている。
ここで、収納ホルダ本体２の一部において、表裏の開口部４ｂ，６ｂ，１４を結ぶ流路等を設け、検体を含んだ検体液を開口部４ｂ，６ｂまたは底面開口部１４のいずれか一方に注入して表裏の開口部４ｂ，６ｂ，１４両方に検体液を行き渡らせるようにしてもよい。
また、マイクロアレイの表裏のいずれか一方に、プローブが露出しているマイクロアレイを収納する場合には、他方には検体液を供給する必要もないので、マイクロアレイ表裏を結ぶ流路を設けなくてもよく、また、マイクロアレイ上のプローブを露出させるための開口部４ｂ，６ｂ，１４についても、ホルダ本体２、または収納蓋４及び窓蓋６のいずれか一方に設ければよい。
【００１１】
図２は、図１に示す本発明の一実施形態によるマイクロアレイ収納ホルダ１において、ホルダ本体２に収納蓋４のみを取り付けた状態を示す斜視図である。ここで、図２において、図１に示す部分と同一の部分には同一の符号を付し、それらの説明は省略する。
図２に示すように、ホルダ本体２に収納蓋４のみを取り付けた状態のマイクロアレイ収納ホルダ１においては、収納溝１２の一部が収納蓋４に覆われることにより、収納溝１２が閉鎖された閉鎖収納溝１２ａと収納溝１２が開放された開放収納溝１２ｂとが形成されている。また、開放収納溝１２ｂの上部において、ホルダ本体２に窓蓋６が取り付けられていない状態では、マイクロアレイをホルダ本体２内に挿入するための挿入口となる窓１６が形成されるようになっている。
ここで、複数枚のマイクロアレイを窓１６から開放収納溝１２ｂに挿入してこのマイクロアレイを閉鎖収納溝１２ａに互いに接した状態で収納する際、マイクロアレイを窓１６から開放収納溝１２ａにスムーズに挿入することができるように、窓１６から露出している開放収納溝１２ｂの長さについては、挿入すべきマイクロアレイの長さの約１倍以上２倍未満が好ましく、１．２倍以上１．５倍未満が最も好ましい。
また、ホルダ本体２内に所定の向きと所定の面内で順番に整列して収納されたマイクロアレイが収納溝１２から飛び出し、マイクロアレイの配置が崩れてしまうことを防止するため、最後の１枚のマイクロアレイを開放収納溝１２ａに収納されるまでに、先に開放収納溝１２ａに収納されたマイクロアレイは、閉鎖収納溝１２ａの中に案内され、進まなくなるまで移動されて収納されるようになっている。
【００１２】
図３は、図２に示す本発明の一実施形態によるマイクロアレイ収納ホルダ内に一例としてマイクロアレイを３枚収納してホルダ本体に窓蓋を取り付けた状態を示す斜視図である。ここで、図３において、図１及び図２に示す部分と同一の部分には同一の符号を付し、それらの説明は省略する。
図３に示す本実施形態のマイクロアレイ収納ホルダ１内に収納された３枚のマイクロアレイ１８のぞれぞれに固定化されたプローブについては、すべてが同じ種類であってもよいし、すべてが異なった種類であってもよいし、一部が同じ種類であってもよく、色々なパターンをとることができるようになっている。
例えば、固定化されたプローブの種類がすべて異なっているマイクロアレイＡを本実施形態のマイクロアレイ収納ホルダ１内に複数枚収納した場合、収納したマイクロアレイＡの枚数が、マイクロアレイＡに固定化されている個々の異なった種類のプローブに対する検出数となる。
また、本実施形態のマイクロアレイ収納ホルダ１内に収納する上述したマイクロアレイＡ以外に、固定化されたプローブの種類がマイクロアレイＡと全て異なるマイクロアレイＢと、固定化されたプローブの種類がこれらマイクロアレイＡ，Ｂと全て異なるマイクロアレイＣとを本実施形態のマイクロアレイ収納ホルダ１内に複数枚収納した場合には、マイクロアレイＡ、Ｂ、Ｃに固定化されたプローブの種類について一度に検出することができるようになっている。
【００１３】
本実施形態のマイクロアレイ収納ホルダ１を構成する材料としては、ハイブリダイゼーションを阻害する物質、あるいはそのような物質を含むものでなければ特に限定はなく、たとえばポリプロピレン、ポリエチレン、ポリメチルメタクリレート、ポリカーボネイトなどの熱可塑性の樹脂材料を用い、射出成形などで安価に大量に製作してもよい。
ここで、標識物質として蛍光色素を用い検体を標識付けし、ハイブリダイゼーションの分析を蛍光検出で行う場合には、マイクロアレイホルダの自家蛍光が強いとＳ／Ｎ比が低下し、検出精度が低下するため、自家蛍光が小さな素材を選択するのがよい。
自家蛍光が大きい素材でも、蛍光を吸収する添加剤、例えばカーボンブラック等を添加すると自家蛍光を大きく低減することができるため、そのような添加剤を添加したさまざまな素材を用いてもよい。
【００１４】
図４は、本実施形態のマイクロアレイ収納ホルダ内にマイクロアレイを所定の向き及び所定の面にして挿入するために用いるマイクロアレイ挿入治具の一実施形態を示す斜視図である。ここで、図４において、図１〜図３に示す部分と同一の部分には同一の符号を付し、それらの説明は省略する。
図４に示すように、本発明の一実施形態によるマイクロアレイ挿入治具２０は、ベース部２４とゲート部２２とを備え、このベース部２４により、窓蓋６が取り付けられていない状態（窓１６が開いた状態）のマイクロアレイ収納ホルダ１とゲート部２２が互いに位置決めされるようになっている。
ここで、ベース部２４には、収納ホルダ１の外形と一致する窪み部２４ａが設けられており、この窪み部２４ａに収納ホルダ１がはめ込まれることにより、収納ホルダ１がベース部２４に位置決めされて保持されるようになっている。
また、ゲート部２２の下面には、ゲート部位置決め用のピン２２ｃが設けられ、ベース部２４には、このピン２２ｃが嵌め込まれるゲート部位置決め用のピン穴２４ｂが設けられており、ピン２２ｃがピン穴２４ｂに嵌められることにより、ゲート部２２がベース部２４に位置決めされるようになっている。
【００１５】
さらに、ゲート部２２は、マイクロアレイ１８が所定の方向及び所定の面で通過する挿入用開口部２２ａを備えており、この挿入用開口部２２ａの内壁には、マイクロアレイ１８の一辺の中心線からずれた位置に設けられた切欠き（凹部）１８ａが通過できる大きさの突起（凸部）２２ｂが形成されている。この突起２２ｂを含む挿入用開口部２２ａの形状は、所定の方向及び所定の面における単一のマイクロアレイ１８とほぼ一致する形状となっている。
ここで、上述したマイクロアレイ１８の切欠き１８ａ（凹部）及びゲート部２２の突起（凸部）２２ｂについては、両者の配置を入れ換えて、マイクロアレイ１８側に突起（凸部）を設け、ゲート部２２側にこの突起（凸部）が通過する切欠き（凹部）を設けてもよい。
また、ゲート部２２がベース部２４に位置決めされた状態の挿入用開口部２２ａは、ベース部２４の窪み部２４ａに保持された収納ホルダ１の窓１６の真上に位置するようになっている。このとき、挿入用開口部２２ａでは、単一のマイクロアレイ１８が所定の向き及び所定の面になったときにのみ、切欠き１８ａを含むマイクロアレイ１８の形状と突起２２ｂを含む挿入用開口部２２ａの形状とが一致し、マイクロアレイ１８が挿入用開口部２２ａに引っかからずに通過することができるようになっている。
ここで、マイクロアレイ１８の切欠き１８ａとゲート部２２の挿入開口部２２ａに形成されている突起２２ｂの形状や個数等の条件については、特に制限はなく、マイクロアレイ１８が所定の向き及び所定の面になり、ゲート部２２の挿入開口部２２ａに引っかからずにゲート部２２を通過できるような条件であればよい。
また、切欠き１８ａと突起２２ｂの形状については、三角形、四角形、多角形等の形状であってもよいし、切欠き１８ａと突起２２ｂとの組み合わせについても、図示されている一対のほか、二対以上のものにしてもよい。
さらに、本実施形態の挿入治具２０の材質としては特に制限はないが、ステンレス鋼、樹脂、無機材料等、腐食が起こらない素材を使用したり、鉄系材料や非鉄系材料へのメッキ、無機材料コーティング、或いは酸化皮膜形成等、耐食性を向上させる表面処理を施した材料を用いることが好ましい。
【００１６】
図５は、本発明の一実施形態によるマイクロアレイ収納ホルダにおいて、窓が開いた状態の収納ホルダを挿入治具に位置決めし、マイクロアレイを収納ホルダ内に挿入する状態を示す斜視図である。また、図６は、図５に示す本発明の一実施形態によるマイクロアレイ収納ホルダにおいて、マイクロアレイを収納ホルダ内に挿入して収納溝に沿って移動させた状態を示す斜視図である。ここで、図５及び図６において、図１〜図４に示す部分と同一の部分には同一の符号を付し、それらの説明は省略する。
図５及び図６に示すように、本実施形態のマイクロアレイ収納ホルダ１がマイクロアレイ挿入治具２０に固定された状態では、挿入用開口部２２ａを通過した単一のマイクロアレイ１８が、開いた窓１６から開放収納溝１２ｂへと挿入され、この開放収納溝１２ｂにより所定の方向と所定の面内で案内支持されるようになっている。
また、開放収納溝１２ｂによって案内支持されたマイクロアレイ１８は、開放収納溝１２ｂにおいて遠位方向に延びる閉鎖収納溝１２ａに沿って窓１６から離れた位置まで移動され、閉鎖収納溝１２ａ内に収納されるようになっており、さらに、マイクロアレイ１８が収納溝１２ａ，１２ｂに充填されるまで、マイクロアレイ１８の開放収納溝１２ｂへの挿入と、閉鎖収納溝１２ａへの移動が繰り返されるようになっている。
【００１７】
上述した本実施形態のマイクロアレイ収納ホルダ１及びマイクロアレイ挿入治具２０によれば、プローブが固定化された複数の異なった種類のマイクロアレイを予め定めた位置関係にして容易に一体化させることができ、プローブが固定化された複数のマイクロアレイを用いたマイクロアレイ法を簡便に実施することができる。
【００１８】
つぎに、上述した本実施形態による挿入治具を用いてマイクロアレイを収納ホルダに収納する方法について説明する。
まず、ホルダ本体２に収納蓋４のみを取り付けて窓１６を開けた状態の収納ホルダ１を挿入治具２０のベース部２４の窪み部２４ａにはめ込み、ゲート部２２の位置決め用のピン２２ｃをベース部２４のピン穴２４ｂに挿入して、ベース部２４に収納ホルダ１及びゲート部２２を位置決めする。
つぎに、マイクロアレイ１８の切欠き１８ａが挿入治具２０のゲート部２２の突起２２ｂと一致するようにマイクロアレイ１８を所定の向き及び所定の面にした状態で、単一のマイクロアレイ１８を挿入用開口部２２ａから収納ホルダ１の窓１６を通じて開放収納溝１２ｂに落とし込む。
【００１９】
つぎに、収納ホルダ１の窓１６から開放収納溝１２ｂに落とし込んだマイクロアレイ１８を開放収納溝１２ｂから遠位方向に延びる閉鎖収納溝１２ａに沿って窓１６から離れた位置まで移動させて収納する。
所定枚数のマイクロアレイ１８を収納溝１２ａ，１２ｂに完全に収納させた後、ゲート部２２をベース部２４から取り外し、収納ホルダ１の窓１６に窓蓋６を取り付けて収納が完了となる。
【図面の簡単な説明】
【００２０】
【図１】本発明の一実施形態によるマイクロアレイ収納ホルダを示す分解斜視図である。
【図２】図１に示す本発明の一実施形態によるマイクロアレイ収納ホルダにおいて、ホルダ本体に収納蓋のみを取り付けた状態を示す斜視図である。
【図３】図２に示す本発明の一実施形態によるマイクロアレイ収納ホルダ内にマイクロアレイを３枚収納してホルダ本体に窓蓋を取り付けた状態を示す斜視図である。
【図４】本発明の一実施形態によるマイクロアレイ挿入治具を示す斜視図である。
【図５】本発明の一実施形態によるマイクロアレイ収納ホルダにおいて、窓が開いた状態の収納ホルダを挿入治具に位置決めし、マイクロアレイを収納ホルダ内に挿入する状態を示す斜視図である。
【図６】図５に示す本発明の一実施形態によるマイクロアレイ収納ホルダにおいて、マイクロアレイを収納ホルダ内に挿入して収納溝に沿って移動させた状態を示す斜視図である。
【符号の説明】
【００２１】
１  マイクロアレイ収納ホルダ
２  ホルダ本体
４  収納蓋
４ａ  収納蓋ピン
４ｂ  収納蓋開口部
６  窓蓋
６ａ  窓蓋ピン
６ｂ  窓蓋開口部
８  蓋収納溝
１０  ピン孔
１２  アレイ収納溝
１２ａ  閉鎖収納溝
１２ｂ  開放収納溝
１４  底面開口部
１６  窓
１８  マイクロアレイ
１８ａ  切り欠き
２０  マイクロアレイ挿入治具
２２  ゲート部
２２ａ  挿入用開口部
２２ｂ  突起
２２ｃ  位置決め用ピン
２４  ベース部
２４ａ  窪み部
２４ｂ  位置決め用ピン穴
【図１】
2005300291.tif 000003
【図２】
2005300291.tif 000004
【図３】
2005300291.tif 000005
【図４】
2005300291.tif 000006
【図５】
2005300291.tif 000007
【図６】
2005300291.tif 000008